(57)【要約】【課題】一対のコネクタの各コンタクトが接触したときの応力が第１端子部にかからないようにして、ＳＭＴ（表面実装）接合に悪影響を及ぼすことがないコネクタ及び雌雄同体コネクタを提供する。【解決手段】ピンコンタクト４は、相手側コネクタと接続する接触部４ａと、接続対象物（基板等）の接続部（パッド等）と接続可能な第１端子部４ｂと、接続対象物の接続部と接続可能な第２端子部４ｃと、接触部と第１端子部と第２端子部とを連結する連結部４ｄとを有する。連結部は、相手側コネクタとの嵌合側に位置する。接触部と第１端子部と第２端子部のそれぞれは、連結部から同一方向に延設される。第１端子部には、ハウジング３への保持部４ｂ１が形成されている。【選択図】  図７
2009087606.tif 000002
【特許請求の範囲】
【請求項１】
相手側コネクタと接続対象物との間を接続するコネクタにおいて、
前記コネクタは、コンタクトと、前記コンタクトを保持するハウジングとを有し、
前記コンタクトは、前記相手側コネクタと接続する接触部と、前記接続対象物の接続部と接続可能な第１端子部と、前記接続対象物の接続部と接続可能な第２端子部と、前記接触部と前記第１端子部と前記第２端子部とを連結する連結部とを有し、
前記連結部は、前記相手側コネクタとの嵌合側に位置し、
前記接触部と前記第１端子部と前記第２端子部のそれぞれは、前記連結部から同一方向に延設され、
前記第１端子部と前記第２端子部との内少なくとも一方には、前記ハウジングへの保持部が形成され、
前記第１端子部と前記第２端子部との内少なくとも一方は、前記接続対象物の接続部と接続することを特徴とするコネクタ。
【請求項２】
相手側コネクタと接続対象物との間を接続するコネクタにおいて、
前記コネクタは、コンタクトと、前記コンタクトを保持するハウジングとを有し、
前記コンタクトは、前記相手側コネクタと接続する接触部と、前記接続対象物の接続部と接続可能な第１端子部と、前記接続対象物の接続部と接続可能な第２端子部と、前記接触部と前記第１端子部と前記第２端子部とを連結する連結部とを有し、
前記コンタクトは、第１コンタクトと第２コンタクトとから構成され、前記第２コンタクトの接触部は、コ字状に形成され、かつ、弾性を有し、
前記連結部は、前記相手側コネクタとの嵌合側に位置し、
前記接触部と前記第１端子部と前記第２端子部のそれぞれは、前記連結部から同一方向に延設され、
前記第１端子部と前記第２端子部との内少なくとも一方には、前記ハウジングへの保持部が形成され、
前記第１端子部と前記第２端子部との内少なくとも一方は、前記接続対象物の接続部と接続することを特徴とするコネクタ。
【請求項３】
請求項２記載の前記コネクタと前記相手側コネクタとに同一のものを用い、
前記ハウジングは、前記第１コンタクトが保持されたピンコネクタ部と前記第２コンタクトが保持されたソケットコネクタ部とを有し、
前記コネクタの前記ソケットコネクタ部には、前記相手側コネクタの前記ピンコネクタ部を受け入れる受入部が形成され、
前記相手側コネクタの前記ソケットコネクタ部には、前記コネクタの前記ピンコネクタ部を受け入れる受入部が形成されていることを特徴とする雌雄同体コネクタ。
【発明の詳細な説明】
【技術分野】
【０００１】
本発明は、コネクタの実装部のコンタクト構造に関し、通常のコネクタ及び雌雄同体コネクタを対象とする。
【背景技術】
【０００２】
従来の一対のコネクタの嵌合構造について、本出願前に頒布された刊行物を引用して説明する（例えば、特許文献１参照。）。
【０００３】
図１３は、一方のコネクタ４１と他方のコネクタ５１とが嵌合した状態の断面図である。
【０００４】
図１３において、コネクタ４１は、多数のコンタクト４２と、各コンタクト４２を保持するインシュレータ４３と、インシュレータ４３に保持されるホールドダウン４４とから構成される。各コンタクト４２は、所定のピッチで紙面に直交する方向に２列に対向するように配置される。コネクタ４１は、ホールドダウン４４によってプリント基板６１に固定される。
【０００５】
コネクタ５１は、多数のコンタクト５２と、各コンタクト５２を保持するインシュレータ５３と、インシュレータ５３に保持されるホールドダウン５４とから構成される。各コンタクト５２は、所定のピッチで紙面に直交する方向に２列に対向するように配置される。コネクタ５１は、ホールドダウン５４によってプリント基板７１に固定される。
【０００６】
図１４は一方のコネクタ４１のコンタクト４２の諸図であり、（Ａ）はコンタクト４２の斜視図、（Ｂ）は同コンタクト４２の側面図、（Ｃ）は同コンタクト４２の平面図を、それぞれ示す。
【０００７】
コンタクト４２は、コネクタ５１のコンタクト５２と接続する接触部４２ａと、
インシュレータ４３の挿入穴（図示せず）に圧入によって保持される胴体部４２ｂと、プリント基板６１（図１６参照）のパッド６２，６３に接続可能なリード部４２ｄ，４２ｅと、インシュレータ４３に保持される保持部４２ｆとから略Ｌ字形状に構成される。胴体部４２ｂの厚さｓは、接触部４２ａの厚さｔよりも薄く形成される。
【０００８】
図１５は、他方のコネクタ５１のコンタクト５２の斜視図である。
【０００９】
コンタクト５２は、コネクタ４１のコンタクト４２と摺接する接合部５２ａと、
プリント基板７１のパッド（図示せず）に接続可能なリード部５２ｂ，５２ｃと、
インシュレータ５３に保持される保持部５２ｄとから略Ｆ字形状に構成される。
【００１０】
プリント基板６１においては、図１６に示されるように、コネクタ４１の長手方向で、コネクタ４１の軸心ｃから近距離ａにあるパッド６３と、遠距離ｂにあるパッド６２とが、スタガ（千鳥）配置されている。そして、軸心ｃを中心にして対称に配置されている。
【００１１】
一方のコネクタ４１をプリント基板６１に実装すると、図１６に示されるように、コンタクト４２のリード部４２ｄが近距離ａのパッド６３に半田付けされ、リード部４２ｅが遠距離ｂのパッド６２に半田付けされる。このようにして、コンタクト４２には、リード部４２ｄ，４２ｅの両方が設けられているので、リード部の一方（例えば４２ｄ）が半田付けされた場合には、他方のリード部（例えば接触部４２ｅ）は半田付けされず、電気的にパッド６２又は６３と導通しない。したがって、プリント基板６１側のパッドをスタガ（千鳥）配置にすることによって、狭小ピッチによりコンタクト４２が高密度に配列されるコネクタ４１の半田付け表面実装が可能となる。
【００１２】
【特許文献１】特開２００４−２００１１０号公報
【発明の開示】
【発明が解決しようとする課題】
【００１３】
前記従来の一対のコネクタでは、次の欠点が生じる。
【００１４】
１．第１端子部４２ｄは接触部４２ａと保持部４２ｆとの間にあるから、コンタクト５２との接触力による応力が第１端子部４２ｄにかかるので、ＳＭＴ（表面実装）接合に悪影響（半田に応力がかかり、半田にクラックが生じる、又は剥れる等）を及ぼしている。また、この応力は、保持部４２ｆの近くにある第２端子部４２ｅにも悪影響を及ぼす。
【００１５】
２．接触部４２ａとＳＭＴ端子部４２ｄは距離が比較的近く、形状的にも半田上りを防止できないので、接触部４２ａ付近に半田上りを招来する恐れがある。
【００１６】
３．保持部５２ｄと接合部５２ａの間は弾性部となるが、この間にリード部５２ｂがあるので、隣接するコンタクト５２でバネ定数の相違が生じる。このため、隣接するコンタクト５２間で接触力に相違が生じる。
【００１７】
そこで、本発明は、前記従来の一対のコネクタの欠点を改良し、コネクタのコンタクトが相手側コネクタと接触したときの応力が第１端子部にかからないようにして、ＳＭＴ（表面実装）接合に悪影響（半田に応力がかかり、半田にクラックが生じる、又は剥れる等）を及ぼすことがなく、また、接触部付近への半田上りを防止し、更に、コンタクトの塑性変形も防止するコネクタ及び雌雄同体コネクタを提供しようとするものである。
【課題を解決するための手段】
【００１８】
本発明は、前記課題を解決するため、次の手段を採用する。
【００１９】
１．相手側コネクタと接続対象物との間を接続するコネクタにおいて、  前記コネクタは、コンタクトと、前記コンタクトを保持するハウジングを
有し、
前記コンタクトは、前記相手側コネクタと接続する接触部と、前記接続対象物の接続部と接続可能な第１端子部と、前記接続対象物の接続部と接続可能な第２端子部と、前記接触部と前記第１端子部と前記第２端子部とを連結する連結部とを有し、
前記連結部は、前記相手側コネクタとの嵌合側に位置し、
前記接触部と前記第１端子部と前記第２端子部のそれぞれは、前記連結部から同一方向に延設され、
前記第１端子部と前記第２端子部との内少なくとも一方には、前記ハウジングへの保持部が形成され、
前記第１端子部と前記第２端子部との内少なくとも一方は、前記接続対象物の接続部と接続するコネクタ。
【００２０】
２．相手側コネクタと接続対象物との間を接続するコネクタにおいて、
前記コネクタは、コンタクトと、前記コンタクトを保持するハウジングとを有し、
前記コンタクトは、前記相手側コネクタと接続する接触部と、前記接続対象物の接続部と接続可能な第１端子部と、前記接続対象物の接続部と接続可能な第２端子部と、前記接触部と前記第１端子部と前記第２端子部とを連結する連結部とを有し、
前記コンタクトは、第１コンタクトと第２コンタクトとから構成され、前記第２コンタクトの接触部は、コ字状に形成され、かつ、弾性を有し、
前記連結部は、前記相手側コネクタとの嵌合側に位置し、
前記接触部と前記第１端子部と前記第２端子部のそれぞれは、前記連結部から同一方向に延設され、
前記第１端子部と前記第２端子部との内少なくとも一方には、前記ハウジングへの保持部が形成され、
前記第１端子部と前記第２端子部との内少なくとも一方は、前記接続対象物の接続部と接続するコネクタ。
【００２１】
３．前記２記載の前記コネクタと前記相手側コネクタとに同一のものを用い、
前記ハウジングは、前記第１コンタクトが保持されたピンコネクタ部と前記第２コンタクトが保持されたソケットコネクタ部とを有し、
前記コネクタの前記ソケットコネクタ部には、前記相手側コネクタの前記ピンコネクタ部を受け入れる受入部が形成され、
前記相手側コネクタの前記ソケットコネクタ部には、前記コネクタの前記ピンコネクタ部を受け入れる受入部が形成されている雌雄同体コネクタ。
【発明の効果】
【００２２】
明細書の説明から明らかなように、本発明は、次の効果を奏する。
【００２３】
１．本発明のコンタクトは、相手側コネクタとの嵌合側に位置する連結部から同一方向に第１端子部と第２端子部と接触部のそれぞれを延設する構成なので、相手側コネクタと接触したときの応力が第１端子部と第２端子部にかからず、ＳＭＴ（表面実装）接合に悪影響（半田に応力がかかり、半田にクラックが生じる、又は剥れる等）を及ぼさない。
【００２４】
２．接触部と第１端子部及び第２端子部との間は、距離が比較的遠く、形状的にも半田上りを防止し易い。
【００２５】
３．接触部と第２端子部との間には弾性部がなく、この間に第１端子部があるので、隣接するコンタクトでバネ定数の相違が生じない。このため、コンタクトを均一な接触力で設計することができる。
【発明を実施するための最良の形態】
【００２６】
本発明の３つの実施例のコネクタについて説明する。
【実施例１】
【００２７】
コネクタ１と相手側コネクタ１１（図８参照）とに同一のものを用いた場合の本発明の実施例１の雌雄同体コネクタについて図１〜図９を参照して説明する。
【００２８】
図１は、コネクタ１の斜視図である。同コネクタ１の左半部は、レセプタクル部１ａであり、右半部は、プラグ部１ｂである。
【００２９】
レセプタクル部１ａには、多数のソケットコンタクト２が２列に所定のピッチでハウジング（インシュレータ）３に保持される（詳細は図６参照）。
【００３０】
プラグ部１ｂには、多数のピンコンタクト４が２列に所定のピッチでハウジング３に保持される（詳細は図７参照）。
【００３１】
図２〜５は、コネクタ１の４面図であり、順次、平面図、正面図、下面図、側面図を、それぞれ示す。
【００３２】
図６は、図３における矢印方向に見た断面Ｂ−Ｂの拡大図である。ソケットコンタクト２は、端子部２ａと接続部２ｂとから一体に構成される。
【００３３】
端子部２ａは、接続対象物（基板等）の接続部（パッド等）と接続可能な第１端子部２ａ１と、接続対象物の接続部と接続可能な第２端子部２ａ２と、接触部２ｂ２（後述）と第１端子部２ａ１と第２端子部２ａ２とを連結する連結部２ａ４とを有する。
【００３４】
連結部２ａ４は、相手側コネクタとの嵌合側に位置する。接触部２ｂ２と第１端子部２ａ１と第２端子部２ａ２のそれぞれは、連結部２ａ４から同一方向に延設される。
【００３５】
第１端子部２ａ１には、ハウジング３への保持部２ａ３が形成されているが、第２端子部２ａ２にハウジング３への保持部を形成してもよく、第１端子部２ａ１と第２端子部２ａ２の両方にハウジング３への保持部を形成してもよい。
【００３６】
また、第１端子部２ａ１と第２端子部２ａ２の両方を接続対象物の接続部と接続してもよいが、いずれか一方のみを接続対象物の接続部と接続してもよい。
【００３７】
接続部２ｂは、相手側コネクタと接続する接触部２ｂ２を含めてコ字状に形成され、かつ、弾性を有する。接続部２ｂには、相手側コネクタと接続する突起状の接点部２ｂ１も形成されている。
【００３８】
図７は、図３における矢印方向に見た断面Ａ−Ａの拡大図である。ピンコンタクト４は、相手側コネクタと接続する接触部４ａと、接続対象物（基板等）の接続部（パッド等）と接続可能な第１端子部４ｂと、接続対象物の接続部と接続可能な第２端子部４ｃと、接触部４ａと第１端子部４ｂと第２端子部４ｃとを連結する連結部４ｄとを有する。
【００３９】
連結部４ｄは、相手側コネクタとの嵌合側に位置する。接触部４ａと第１端子部４ｂと第２端子部４ｃのそれぞれは、連結部４ｄから同一方向に延設される。
【００４０】
第１端子部４ｂには、ハウジング３への保持部４ｂ１が形成されているが、第２端子部４ｃにハウジング３への保持部を形成してもよく、第１端子部４ｂと第２端子部４ｃの両方にハウジング３への保持部を形成してもよい。
【００４１】
また、第１端子部４ｂと第２端子部４ｃの両方を接続対象物の接続部と接続してもよいが、いずれか一方のみを接続対象物の接続部と接続してもよい。
【００４２】
２列のソケットコンタクト２とピンコンタクト４は、いずれもハウジング３の中心に対称に保持される。
【００４３】
図８は、コネクタ１が相手側コネクタ１１と嵌合した状態の断面拡大図である。
【００４４】
図９は、基板のパッド２１のスタガ（千鳥）配列図である。同コネクタ１におけるソケットコンタクト２の第１端子部２ａ１、第２端子部２ａ２及びピンコンタクト４の第１端子部４ｂ、第２端子部４ｃのピッチの２倍のピッチで、基板のパッド２１のピッチを配置する。この配置によれば、１番目のソケットコンタクト２の第１端子部２ａ１は、基板のパッド２１ａと接続し、第２端子部２ａ２は、パッド２１ａと接続せず、２番目のソケットコンタクト２の第２端子部２ａ２は、パッド２１ｂと接続し、第１端子部２ａ１は、パッド２１ｂと接続せずというように、２つの端子は、交互にパッド２１と接続することができる。ピンコンタクト４もソケットコンタクト２と同様に、第１端子部４ｂはパッド２１ｃと接続し、第２端子部４ｃはパッド２１ｄと接続し、交互にパッド２１と接続する。
【実施例２】
【００４５】
本発明の実施例２の雌雄同体コネクタについて図１０を参照して説明する。実施例２についての説明は、実施例１と同様な点の説明を省略し、相違する点の説明を行う。実施例１と相違する点は、実施例１のレセプタクル部１ａとプラグ部１ｂとはそれぞれ２列に構成されているが、実施例２ではこれを１列に構成したものである。
【００４６】
コネクタ１と相手側コネクタ１１とに同一のものを用いる。ハウジング３は、第１コンタクト４が保持されたプラグ部１ｂと第２コンタクト２が保持されたレセプタクル部１ａとを有する。コネクタ１のレセプタクル部１ａには、相手側コネクタ１１のプラグ部１ｂを受け入れる受入部１ａ１が形成されている。相手側コネクタ１１のレセプタクル部には、コネクタ１のプラグ部１ｂを受け入れる受入部が形成されている。
【実施例３】
【００４７】
本発明の実施例３のコネクタについて図１１，１２を参照して説明する。実施例３についての説明は、実施例１と同様な点の説明を省略し、相違する点の説明を行う。
【００４８】
図１１に示されるように、プラグコネクタ２６は、多数のピンコンタクト（第１コンタクト）２７が所定のピッチでハウジング２８の前後両側に２列に保持されることによって構成される。各ピンコンタクト２７は、略コ字状に形成されているピン嵌合部２７ａを有する。ハウジング２８における２列の多数のピンコンタクト２７の間に、空間部２８ａが形成される。また、ハウジング２８の左右両側には、側壁２８ｂが形成される。
【００４９】
図１２に示されるように、レセプタクルコネクタ（相手側）３１は、多数のソケットコンタクト（第２コンタクト）３２が所定のピッチでハウジング３３の前後両側に２列に保持されることによって構成される。各ソケットコンタクト３２は、略コ字状部と略Ｌ字状部が連続して形成される。ハウジング３３における２列の多数のソケットコンタクト３２の間に、ハウジング３３の突出部３３ａが形成される。突出部３３ａの前後両側において、２列の多数のソケットコンタクト３２は、ソケット嵌合部３２ａを構成する。また、ハウジング３３の左右両側には、側壁３３ｂが形成される。ハウジング３３において、突出部３３ａの左右両側と両側壁３３ｂとの間に溝３３ｃが形成される。
【００５０】
プラグコネクタ２６がレセプタクルコネクタ３１と嵌合するとき、２つのピン嵌合部２７ａは２つのソケット嵌合部３２ａにそれぞれ挿入されて接続される。この際、プラグコネクタ２６の両側壁２８ｂは、レセプタクルコネクタ３１の両溝３３ｃに挿入される。
【図面の簡単な説明】
【００５１】
【図１】本発明の実施例１の雌雄同体コネクタの斜視図である。
【図２】同コネクタの平面図である。
【図３】同コネクタの正面図である。
【図４】コネクタの下面図である。
【図５】同コネクタの側面図である。
【図６】図３における矢印方向に見た断面Ｂ−Ｂの拡大図である。
【図７】図３における矢印方向に見た断面Ａ−Ａの拡大図である。
【図８】同コネクタが相手側コネクタと嵌合した状態の断面拡大図である。
【図９】基板のパッドのスタガ（千鳥）配列図である。
【図１０】本発明の実施例２の雌雄同体コネクタの斜視図である。
【図１１】本発明の実施例３のプラグコネクタの斜視図である。
【図１２】本発明の実施例３のレセプタクルコネクタの斜視図である。
【図１３】従来の一方のコネクタと他方のコネクタとが嵌合した状態の断面図である。
【図１４】従来の一方のコネクタのコンタクトの諸図であり、（Ａ）は同コンタクトの斜視図、（Ｂ）は同コンタクトの側面図、（Ｃ）は同コンタクトの平面図を、それぞれ示す。
【図１５】従来の他方のコネクタのコンタクトの斜視図である。
【図１６】従来のプリント基板のパッドのスタガ配置の平面図である。
【符号の説明】
【００５２】
１      コネクタ（雌雄同体コネクタ）
１ａ    レセプタクル部（ソケットコネクタ部）
１ａ１  受入部
１ｂ    プラグ部（ピンコネクタ部）
２      ソケットコンタクト（第２コンタクト）
２ａ    端子部
２ａ１  第１端子部
２ａ２  第２端子部
２ａ３  保持部
２ａ４  連結部
２ｂ    接続部
２ｂ１  接点部
２ｂ２  接触部
３      ハウジング（インシュレータ）
４      ピンコンタクト（第１コンタクト）
４ａ    接触部
４ｂ    第１端子部
４ｂ１  保持部
４ｃ    第２端子部
４ｄ    連結部
１１    相手側コネクタ（雌雄同体コネクタ）
２１    パッド
２１ａ，２１ｂ，２１ｃ，２１ｄ  パッド
２６    プラグコネクタ（コネクタ）
２７    ピンコンタクト（第１コンタクト）
２７ａ  ピン嵌合部
２８    ハウジング
２８ａ  空間部
２８ｂ  側壁
３１    レセプタクルコネクタ（相手側コネクタ）
３２    ソケットコンタクト（第２コンタクト）
３２ａ  ソケット嵌合部
３３    ハウジング
３３ａ  突出部
３３ｂ  側壁
３３ｃ  溝
【図１】
2009087606.tif 000003
【図２】
2009087606.tif 000004
【図３】
2009087606.tif 000005
【図４】
2009087606.tif 000006
【図５】
2009087606.tif 000007
【図６】
2009087606.tif 000008
【図７】
2009087606.tif 000009
【図８】
2009087606.tif 000010
【図９】
2009087606.tif 000011
【図１０】
2009087606.tif 000012
【図１１】
2009087606.tif 000013
【図１２】
2009087606.tif 000014
【図１３】
2009087606.tif 000015
【図１４】
2009087606.tif 000016
【図１５】
2009087606.tif 000017
【図１６】
2009087606.tif 000018